(57)【要約】【課題】  関連装置を自動的に操作可能とし、利用者の利便性を高めることが可能なプロジェクタ装置を提供する。【解決手段】  リモコン信号記憶出力回路２はプロジェクタ装置１の電源投入を検出すると、記憶しておいたリモコン信号を読出してエンコードし、電動スクリーン３に送出する。電動スクリーン３はスクリーン３ａを下ろしてプロジェクタ装置１からの映像を投影可能とする。リモコン信号記憶出力回路２はプロジェクタ装置１の電源断を検出すると、記憶しておいたリモコン信号を読出してエンコードし、電動スクリーン３に送出する。電動スクリーン３はプロジェクタ装置１からの映像投影が終了したスクリーン３ａを上げて収納する。【選択図】      図１                                                  
2005043683.tif 000002
【特許請求の範囲】
【請求項１】
静止画及び動画のうちの少なくとも一方をスクリーン上に投射するプロジェクタ装置であって、
リモートコントローラに対応している関連装置へのリモートコントロールコードを記憶しておく記憶手段と、自装置の動作に応答して前記記憶手段に記憶した前記リモートコントロールコードを前記関連装置に発信する手段とを有することを特徴とするプロジェクタ装置。
【請求項２】
前記関連装置は、少なくとも電動スクリーン及び照明機器のいずれかを含むことを特徴とする請求項１記載のプロジェクタ装置。
【請求項３】
前記リモートコントロールコードを前記関連装置に発信する手段は、自装置の電源のＯＮ／ＯＦＦに応答して前記電動スクリーンの降下／上昇及び前記照明機器の消灯／点灯のうちのいずれかを制御する信号を前記リモートコントロールコードとして発信することを特徴とする請求項２記載のプロジェクタ装置。
【請求項４】
前記リモートコントローラは、少なくとも赤外線及び近距離無線のいずれかにて前記リモートコントロールコードを発信することを特徴とする請求項１から請求項３のいずれか記載のプロジェクタ装置。
【請求項５】
静止画及び動画のうちの少なくとも一方をスクリーン上に投射するプロジェクタ装置のリモートコントロール制御方法であって、前記プロジェクタ装置側に、リモートコントローラに対応している関連装置へのリモートコントロールコードを記憶手段に記憶させるステップと、前記プロジェクタ装置の動作に応答して前記記憶手段に記憶した前記リモートコントロールコードを前記関連装置に発信するステップとを有することを特徴とするリモートコントロール制御方法。
【請求項６】
前記関連装置は、少なくとも電動スクリーン及び照明機器のいずれかを含むことを特徴とする請求項５記載のリモートコントロール制御方法。
【請求項７】
前記リモートコントロールコードを前記関連装置に発信するステップは、自装置の電源のＯＮ／ＯＦＦに応答して前記電動スクリーンの降下／上昇及び前記照明機器の消灯／点灯のうちのいずれかを制御する信号を前記リモートコントロールコードとして発信することを特徴とする請求項６記載のリモートコントロール制御方法。
【請求項８】
前記リモートコントローラは、少なくとも赤外線及び近距離無線のいずれかにて前記リモートコントロールコードを発信することを特徴とする請求項５から請求項７のいずれか記載のリモートコントロール制御方法。
【請求項９】
静止画及び動画のうちの少なくとも一方をスクリーン上に投射するプロジェクタ装置のリモートコントロール制御方法のプログラムであって、コンピュータに、リモートコントローラに対応している関連装置へのリモートコントロールコードを記憶手段に記憶させる処理と、前記プロジェクタ装置の動作に応答して前記記憶手段に記憶した前記リモートコントロールコードを前記関連装置に発信する処理とを実行させるためのプログラム。
【発明の詳細な説明】
【技術分野】
【０００１】
本発明はプロジェクタ装置及びそれに用いるリモートコントロール制御方法並びにそのプログラムに関し、特にプロジェクタ装置の関連装置のリモートコントロール制御に関する。
【背景技術】
【０００２】
近年、会議等で使用するプレゼンテーション資料は、パーソナルコンピュータ（以下、パソコンとする）の高機能化に伴って、パソコン上で動作するプレゼンテーションソフトウェアで作成されるようになってきている。
【０００３】
さらに、上記のプレゼンテーション資料は、液晶プロジェクタ等の登場によって、パソコンから液晶プロジェクタ等を通して、直接、大型スクリーン上に投射されることが多い。この大型スクリーンも電動にて必要な時のみ展開するようになっている。
【０００４】
尚、パソコン上ではプレゼンテーション資料のみならず、ディジタルカメラやディジタルビデオにて撮影された静止画や動画が扱えるようになっており、それら静止画や動画もパソコンから液晶プロジェクタ等を通して、直接、大型スクリーン上に投射することができる（例えば、特許文献１参照）。
【０００５】
【特許文献１】特開平９−８３９１９号公報
【発明の開示】
【発明が解決しようとする課題】
【０００６】
上述した従来のプロジェクタ装置では、パソコン等に接続して使用されることが多くなっているが、電動スクリーンや周囲の照明装置等の関連装置とは別のリモートコントローラが用いられており、パソコンからプレゼンテーション資料、静止画や動画を大型スクリーン上に投射するために、それぞれ個別に操作しなければならない。
【０００７】
そこで、本発明の目的は上記の問題点を解消し、関連装置を自動的に操作することができ、利用者の利便性を高めることができるプロジェクタ装置及びそれに用いるリモートコントロール制御方法並びにそのプログラムを提供することにある。
【課題を解決するための手段】
【０００８】
本発明によるプロジェクタ装置は、静止画及び動画のうちの少なくとも一方をスクリーン上に投射するプロジェクタ装置であって、
リモートコントローラに対応している関連装置へのリモートコントロールコードを記憶しておく記憶手段と、自装置の動作に応答して前記記憶手段に記憶した前記リモートコントロールコードを前記関連装置に発信する手段とを備えている。
【０００９】
本発明によるリモートコントロール制御方法は、静止画及び動画のうちの少なくとも一方をスクリーン上に投射するプロジェクタ装置のリモートコントロール制御方法であって、前記プロジェクタ装置側に、リモートコントローラに対応している関連装置へのリモートコントロールコードを記憶手段に記憶させるステップと、前記プロジェクタ装置の動作に応答して前記記憶手段に記憶した前記リモートコントロールコードを前記関連装置に発信するステップとを備えている。
【００１０】
本発明によるリモートコントロール制御方法のプログラムは、静止画及び動画のうちの少なくとも一方をスクリーン上に投射するプロジェクタ装置のリモートコントロール制御方法のプログラムであって、コンピュータに、リモートコントローラに対応している関連装置へのリモートコントロールコードを記憶手段に記憶させる処理と、前記プロジェクタ装置の動作に応答して前記記憶手段に記憶した前記リモートコントロールコードを前記関連装置に発信する処理とを実行させている。
【００１１】
すなわち、本発明のプロジェクタ装置は、汎用の赤外線によるリモートコントローラに対応している製品のリモートコントロールコード（以下、リモコンコードとする）を記憶しておき、自装置の動作（例えば、電源のＯＮ／ＯＦＦ等）に合わせて記憶したリモコンコードを出力させている。
【００１２】
より具体的に説明すると、本発明のプロジェクタ装置では、受光したリモコンコードをデコードし、そのデコード信号を内部メモリに記憶させ、自装置の動作に応答して記憶したコードを出力することによって、関連装置を自動的に操作可能とし、利用者の利便性を高めている。
【００１３】
例えば、本発明のプロジェクタ装置では、自装置の電源が投入された時に、自動的に電動スクリーンを下ろしたり、自動的にリモコン対応照明を消灯したりすることが可能となる。
【発明の効果】
【００１４】
本発明は、以下に述べるような構成及び動作とすることで、プロジェクタ装置の関連装置を自動的に操作することができ、利用者の利便性を高めることができるという効果が得られる。
【発明を実施するための最良の形態】
【００１５】
次に、本発明の実施の形態について図面を参照して説明する。図１は本発明の実施の形態によるプロジェクタ装置及びその関連装置の構成を示すブロック図である。図１において、プロジェクタ装置１はリモートコントロール信号（以下、リモコン信号とする）記憶出力回路２を備えている。
【００１６】
リモコン信号記憶出力回路２は電動スクリーン３におけるスクリーン（表示画面）３ａの降下や上昇をコントロールするための電動スクリーン用リモートコントローラ（以下、電動スクリーン用リモコンとする）４からリモコン信号を受信すると、そのリモコン信号をデコードして記憶しておく。
【００１７】
リモコン信号記憶出力回路２はプロジェクタ装置１の電源投入を検出すると、記憶しておいたリモコン信号（デコード信号）を読出してエンコードし、電動スクリーン３に送出する。これによって、電動スクリーン３はスクリーン３ａを下ろしてプロジェクタ装置１からの映像を投影可能とする。
【００１８】
また、リモコン信号記憶出力回路２はプロジェクタ装置１の電源断を検出すると、記憶しておいたリモコン信号（デコード信号）を読出してエンコードし、電動スクリーン３に送出する。これによって、電動スクリーン３はプロジェクタ装置１からの映像投影が終了したスクリーン３ａを上げて収納する。
【００１９】
このように、本発明の実施の形態では、電動スクリーン３等のプロジェクタ装置１の関連装置を、プロジェクタ装置１の動作に合わせて自動的に操作することができ、プロジェクタ装置１の利用者の利便性を高めることができる。
【実施例１】
【００２０】
図２は本発明の一実施例によるプロジェクタ装置のリモコン信号記憶出力回路の構成を示すブロック図である。図２において、リモコン信号記憶出力回路２はＣＰＵ（中央処理装置）２１と、不揮発性メモリ（例えば、フラッシュメモリ等）２２と、受光デバイス２３と、リモートコントロールコード（以下、リモコンコードとする）デコード部２４と、リモコンコードエンコード部２５と、リモコンコード送出デバイス２６と、動作検出部２７と、ＣＰＵ２１が実行するプログラムを格納する記憶媒体２８とから構成されている。
【００２１】
尚、本発明の一実施例によるプロジェクタ装置及びその関連装置は、上記の図１に示す本発明の実施の形態によるプロジェクタ装置及びその関連装置の構成と同様であるものとする。
【００２２】
予め、電動スクリーン用リモコン４からプロジェクタ装置１に向けてリモコンコードが発信されると、プロジェクタ装置１内のリモコン信号記憶出力回路２はにそのリモコンコードをデコードして記憶する。
【００２３】
つまり、リモコン信号記憶出力回路２は受光デバイス２３で電動スクリーン用リモコン４からのリモコンコードを受光すると、そのリモコンコードをリモコンコードデコード部２４でデコードする。ＣＰＵ２１はそのデコードしたリモコンコードを不揮発性メモリ２２に記憶する。
【００２４】
この場合、電動スクリーン用リモコン４からのリモコンコードとしては、プロジェクタ装置１の電源がＯＮとなった時のスクリーン３ａの降下と、プロジェクタ装置１の電源がＯＦＦとなった時のスクリーン３ａの上昇収納との２種類を記憶する。
【００２５】
その後、動作検出部２７がプロジェクタ装置１の電源ＯＮを検出すると、ＣＰＵ２１は不揮発性メモリ２２に記憶したプロジェクタ装置１へのリモコンコードを読出し、リモコンコードエンコード部２５でエンコードしてリモコンコード送出デバイス２６から電動スクリーン３に送出させる。
【００２６】
図３は本発明の一実施例によるリモコン信号記憶出力回路の動作を示すフローチャートである。これら図１〜図３を参照して本発明の一実施例によるリモコン信号記憶出力回路２の動作について説明する。尚、図３に示す処理はＣＰＵ２１が記憶媒体２８のプログラムを実行することで実現される。
【００２７】
リモコン信号記憶出力回路２はリモコンコードが入力されると（図３ステップＳ１）、受光デバイス２３で受光したリモコンコードをリモコンコードデコード部２４でデコードし（図３ステップＳ２）、デコードしたリモコンコードを不揮発性メモリ２２に格納する（図３ステップＳ３）。
【００２８】
また、リモコン信号記憶出力回路２はプロジェクタ装置１の電源がＯＮになったことを動作検出部２７が検出すると（図３ステップＳ４）、電動スクリーン３を降下させるためのリモコンコードを不揮発性メモリ２２から読出す（図３ステップＳ５）。
【００２９】
リモコン信号記憶出力回路２はその読出したリモコンコードをリモコンコードエンコード部２５でエンコードし（図３ステップＳ６）、エンコードしたリモコンコードをリモコンコード送出デバイス２６から電動スクリーン３に発信する（図３ステップＳ７）。
【００３０】
一方、リモコン信号記憶出力回路２はプロジェクタ装置１の電源がＯＦＦになったことを動作検出部２７が検出すると（図３ステップＳ４）、電動スクリーン３を上昇させるためのリモコンコードを不揮発性メモリ２２から読出す（図３ステップＳ８）。
【００３１】
リモコン信号記憶出力回路２はその読出したリモコンコードをリモコンコードエンコード部２５でエンコードし（図３ステップＳ６）、エンコードしたリモコンコードをリモコンコード送出デバイス２６から電動スクリーン３に発信する（図３ステップＳ７）。
【００３２】
このように、本実施例では、プロジェクタ装置１から記憶したリモコンコードを電動スクリーン３に発信することによって、例えばプロジェクタ装置１の電源投入時にスクリーン３ａを下げることや、プロジェクタ装置１の電源を切る時にスクリーン３ａを上げる等の操作が可能となる。尚、電動スクリーン３へのリモコンコードの発信は赤外線や近距離無線等を使用することができる。
【実施例２】
【００３３】
図４は本発明の他の実施例によるリモコン信号記憶出力回路の動作を示すフローチャートである。本発明の他の実施例によるプロジェクタ装置及びその関連装置は上記の図１に示す本発明の実施の形態によるプロジェクタ装置及びその関連装置の構成と同様であり、本発明の他の実施例によるリモコン信号記憶出力回路は上記の図２の本発明の一実施例によるリモコン信号記憶出力回路２と同様である。
【００３４】
これら図１と図２と図４とを参照して本発明の他の実施例によるリモコン信号記憶出力回路２の動作について説明する。尚、本発明の他の実施例では電動スクリーン３以外に関連装置として照明機器（図示せず）をコントロールするものとする。また、図４に示す処理はＣＰＵ２１が記憶媒体２８のプログラムを実行することで実現される。
【００３５】
リモコン信号記憶出力回路２はリモコンコードが入力されると（図４ステップＳ１１）、受光デバイス２３で受光したリモコンコードをリモコンコードデコード部２４でデコードし（図４ステップＳ１２）、デコードしたリモコンコードを不揮発性メモリ２２に格納する（図４ステップＳ１３）。
【００３６】
また、リモコン信号記憶出力回路２はプロジェクタ装置１の電源がＯＮになったことを動作検出部２７が検出すると（図４ステップＳ１４）、電動スクリーン３を降下させるためのリモコンコードと照明機器を消灯させるためのリモコンコードとを不揮発性メモリ２２から読出す（図４ステップＳ１５）。
【００３７】
リモコン信号記憶出力回路２はその読出したリモコンコードをリモコンコードエンコード部２５でエンコードし（図４ステップＳ１６）、エンコードしたリモコンコードをリモコンコード送出デバイス２６から電動スクリーン３及び照明機器に発信する（図４ステップＳ１７）。
【００３８】
一方、リモコン信号記憶出力回路２はプロジェクタ装置１の電源がＯＦＦになったことを動作検出部２７が検出すると（図４ステップＳ１４）、電動スクリーン３を上昇させるためのリモコンコードと照明機器を点灯させるためのリモコンコードとを不揮発性メモリ２２から読出す（図４ステップＳ１８）。
【００３９】
リモコン信号記憶出力回路２はその読出したリモコンコードをリモコンコードエンコード部２５でエンコードし（図４ステップＳ１６）、エンコードしたリモコンコードをリモコンコード送出デバイス２６から電動スクリーン３及び照明機器に発信する（図４ステップＳ１７）。
【００４０】
このように、本実施例では、プロジェクタ装置１から記憶したリモコンコードを電動スクリーン３及び照明機器に発信することによって、例えばプロジェクタ装置１の電源投入時にスクリーン３ａを下げたり、照明機器を消灯することや、プロジェクタ装置１の電源を切る時にスクリーン３ａを上げたり、照明機器を点灯する等の操作が可能となる。
【００４１】
但し、本実施例では電動スクリーン３及び照明機器を同時にコントロールしているが、それら電動スクリーン３及び照明機器を個別に独立してコントロールすることも可能である。また、本実施例では、照明機器のをコントロールすることも可能である。さらに、電動スクリーン３及び照明機器へのリモコンコードの発信は赤外線や近距離無線等を使用することができる。
【産業上の利用可能性】
【００４２】
本発明はプロジェクタ装置の関連装置として電動スクリーン及び照明機器について述べたが、音声出力制御装置等のその他の関連装置についても上記と同様にコントロールすることが可能である。
【図面の簡単な説明】
【００４３】
【図１】本発明の実施の形態によるプロジェクタ装置及びその関連装置の構成を示すブロック図である。
【図２】本発明の一実施例によるプロジェクタ装置のリモコン信号記憶出力回路の構成を示すブロック図である。
【図３】本発明の一実施例によるリモコン信号記憶出力回路の動作を示すフローチャートである。
【図４】本発明の他の実施例によるリモコン信号記憶出力回路の動作を示すフローチャートである。
【符号の説明】
【００４４】
１  プロジェクタ装置
２  リモートコントロール信号記憶出力回路
３  電動スクリーン
３ａ  スクリーン
４  電動スクリーン用リモートコントローラ
２１  ＣＰＵ
２２  不揮発性メモリ
２３  受光デバイス
２４  リモートコントロールコードデコード部
２５  リモコンコードエンコード部
２６  リモコンコード送出デバイス
２７  動作検出部
２８  記憶媒体
【図１】
2005043683.tif 000003
【図２】
2005043683.tif 000004
【図３】
2005043683.tif 000005
【図４】
2005043683.tif 000006